(57)【要約】【課題】作業性を大幅に向上させることができ、短期間で且つ安価に制御盤を製造することができる制御盤の製造方法を得る。【解決手段】先ず、制御盤の内側面を形成する所定の取付面２ａが上方を向くように、取付板２を横向きに配置する。次に、取付面２ａを上向きに配置した状態のまま、上記取付面２ａへのＤＩＮレール８及び各種機器類の取付作業と、必要な結線作業を行う。そして、上記取付作業及び結線作業が終了した後、取付板２を起立させ、制御盤の外形を構成するカバー１を取付板２に固定する。【選択図】図２
2009148007.tif 000002
【特許請求の範囲】
【請求項１】
制御盤の内側面を形成する所定の取付面が上方を向くように、取付板を横向きに配置するステップと、
前記取付面を上向きに配置した状態のまま、前記取付板の前記取付面にＤＩＮレールを固定するステップと、
前記取付面を上向きに配置した状態のまま、前記制御盤の内部に収納される機器類を、前記ＤＩＮレールを介して前記取付板の前記取付面に固定するステップと、
前記取付面を上向きに配置した状態のまま、前記機器類を、必要に応じて結線するステップと、
前記ＤＩＮレールの固定、前記機器類の固定、前記結線が終了した後、前記取付板を起立させるステップと、
前記取付板を起立させた後、前記制御盤の外形を構成するカバーを前記取付板に固定するステップと、
を備えたことを特徴とする制御盤の製造方法。
【請求項２】
制御盤の内側面を形成する一側の取付面が上方を向くように、取付板を横向きに配置するステップと、
前記一側の取付面を上向きに配置した状態のまま、前記取付板の前記一側の取付面に第１ＤＩＮレールを固定するステップと、
前記一側の取付面を上向きに配置した状態のまま、前記制御盤の内部に収納される第１機器類を、前記第１ＤＩＮレールを介して前記取付板の前記一側の取付面に固定するステップと、
前記一側の取付面を上向きに配置した状態のまま、前記第１機器類を、必要に応じて結線するステップと、
前記取付板を反転させ、前記制御盤の内側面を形成する他側の取付面が上方を向くように、前記取付板を横向きに配置するステップと、
前記他側の取付面を上向きに配置した状態のまま、前記取付板の前記他側の取付面に第２ＤＩＮレールを固定するステップと、
前記他側の取付面を上向きに配置した状態のまま、前記制御盤の内部に収納される第２機器類を、前記第２ＤＩＮレールを介して前記取付板の前記他側の取付面に固定するステップと、
前記他側の取付面を上向きに配置した状態のまま、前記第２機器類を、必要に応じて結線するステップと、
前記第１及び第２ＤＩＮレールの固定、前記第１及び第２機器類の固定、前記結線が終了した後、前記取付板を起立させるステップと、
前記取付板を起立させた後、前記制御盤の外形を形成するカバーを前記取付板に固定するステップと、
を備えたことを特徴とする制御盤の製造方法。
【請求項３】
制御盤の内部に収納される機器類の一部に、ＩＯカードが格納された制御ユニットを備え、前記制御ユニットは、他の機器類と同様に、取付板の取付面を上向きに配置した状態のまま、前記取付板に固定されることを特徴とする請求項１又は請求項２に記載の制御盤の製造方法。
【請求項４】
制御盤の内部に収納される機器類は、全て端子台で構成され、前記端子台は、取付板の取付面を上向きに配置した状態のまま、前記取付板に固定されることを特徴とする請求項１又は請求項２に記載の制御盤の製造方法。
【発明の詳細な説明】
【技術分野】
【０００１】
この発明は、その内部に、制御ユニット、ＩＯカード、電源装置、電気部品等の各種機器類を収納する制御盤の製造方法に関するものである。
【背景技術】
【０００２】
図７は従来の制御盤を示す斜視図である。従来の制御盤は、図７に示すように、箱状の筐体１３の内部に中板１４が立設され、この筐体１３の内側面や中板１４の側面に、電源装置４、電気部品５、端子台６、ＩＯカード１１実装型の制御ユニット１０等の機器類が取り付けられていた。また、機器類間は必要に応じてケーブル９で結線されていた。
【０００３】
そして、従来、制御盤を製造するに際しては、以下に示す手順で作業が行われていた。
先ず、上下左右のパネルで形成された箱型の筐体１３を組み立て、この筐体１３の正面と背面とに開閉自在な扉（図７において図示せず）を固定する。次に、筐体１３内部の空間を前後に分けるために、この筐体１３の内側中央部に中板１４を立設する。そして、制御盤内に収納される各種機器類を、筐体１３の正面側及び背面側から中板１４及び筐体１３内の側面等に固定し、作業を完了させる（例えば、特許文献１参照）。
【０００４】
【特許文献１】特開平１１−１３６８１６号公報
【発明の開示】
【発明が解決しようとする課題】
【０００５】
上記特許文献１記載のものでは、筐体の正面側及び背面側から機器類の取り付けを行うことができるため、筐体に扉が１枚しかない場合と比較して、作業効率を２倍程度に高めることが可能となる。しかし、筐体の正面側及び背面側からの各作業自体は扉が１枚しかない場合と殆ど変わらず、作業効率の向上には限界があった。また、中板や筐体内の側壁への機器類の取り付けや機器類間の結線を、筐体内の限られた空間でしか行うことができず、作業性が悪いといった問題もあった。
【０００６】
また、制御盤の製造に際しては、機器類の取り付けや結線作業に多くの時間が必要となるが、従来の方法では、筐体や中板を組み立てた後でなければ、このような作業を開始することができなかった。このため、作業効率が悪く、制御盤が完成するまでに長期間を要することとなっていた。なお、上記理由から、制御盤のコストが高くなるといった問題もあった。
【０００７】
この発明は、上述のような課題を解決するためになされたもので、その目的は、作業性を大幅に向上させることができ、短期間で且つ安価に制御盤を製造することができる制御盤の製造方法を提供することである。
【課題を解決するための手段】
【０００８】
この発明に係る制御盤の製造方法は、制御盤の内側面を形成する所定の取付面が上方を向くように、取付板を横向きに配置するステップと、取付面を上向きに配置した状態のまま、取付板の取付面にＤＩＮレールを固定するステップと、取付面を上向きに配置した状態のまま、制御盤の内部に収納される機器類を、ＤＩＮレールを介して取付板の取付面に固定するステップと、取付面を上向きに配置した状態のまま、機器類を、必要に応じて結線するステップと、ＤＩＮレールの固定、機器類の固定、結線が終了した後、取付板を起立させるステップと、取付板を起立させた後、制御盤の外形を構成するカバーを取付板に固定するステップと、を備えたものである。
【０００９】
また、この発明に係る制御盤の製造方法は、制御盤の内側面を形成する一側の取付面が上方を向くように、取付板を横向きに配置するステップと、一側の取付面を上向きに配置した状態のまま、取付板の一側の取付面に第１ＤＩＮレールを固定するステップと、一側の取付面を上向きに配置した状態のまま、制御盤の内部に収納される第１機器類を、第１ＤＩＮレールを介して取付板の一側の取付面に固定するステップと、一側の取付面を上向きに配置した状態のまま、第１機器類を、必要に応じて結線するステップと、取付板を反転させ、制御盤の内側面を形成する他側の取付面が上方を向くように、取付板を横向きに配置するステップと、他側の取付面を上向きに配置した状態のまま、取付板の他側の取付面に第２ＤＩＮレールを固定するステップと、他側の取付面を上向きに配置した状態のまま、制御盤の内部に収納される第２機器類を、第２ＤＩＮレールを介して取付板の他側の取付面に固定するステップと、他側の取付面を上向きに配置した状態のまま、第２機器類を、必要に応じて結線するステップと、第１及び第２ＤＩＮレールの固定、第１及び第２機器類の固定、結線が終了した後、取付板を起立させるステップと、取付板を起立させた後、制御盤の外形を形成するカバーを取付板に固定するステップと、を備えたものである。
【発明の効果】
【００１０】
この発明によれば、作業性を大幅に向上させることができ、短期間で且つ安価に制御盤を製造することができるようになる。
【発明を実施するための最良の形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
この発明の実施の形態１における製造方法によって製造された制御盤の構成を示す図である。図１に示す制御盤は、片面のＩＯ盤を示している。図１において、制御盤は、その外形が、上下左右の側面を形成する四角筒状のカバー１、所定の板状を呈する取付板２、前扉３によって構成されている。取付板２は、カバー１の背面側に形成された開口を覆うように、起立された状態でカバー１に固定される。この取付板２は、例えば、所定の取付枠に特許文献１記載の中板を一体化させたような構成を有していても良い。また、前扉３は、カバー１の前面側に形成された開口を覆うように、カバー１に対して開閉自在に固定される。
【００１３】
上記構成の制御盤には、その内部に、例えば、電源装置４、電気部品５、端子台６、ＩＯカード７等の各種機器類が収納されている。具体的には、制御盤の内側面を形成する取付板２の取付面２ａにＤＩＮレール８が取り付けられ、電源装置４、電気部品５、端子台６、ＩＯカード７等の機器類は、このＤＩＮレール８を介して取付板２に取り付けられている。また、電源装置４、電気部品５、端子台６、ＩＯカード７等の機器類は、必要に応じてケーブル９で結線されている。
【００１４】
次に、図２に基づいて、上記構成の制御盤を製造する方法について具体的に説明する。図２はこの発明の実施の形態１における制御盤の製造方法を示すフローチャートである。制御盤の製造に際しては、先ず、上記取付板２を、取付面２ａが上方を向くように、水平な場所に横向きに配置する（Ｓ１０１）。次に、上向きに配置された取付面２ａに、ＤＩＮレール８を固定する（Ｓ１０２）。また、ＤＩＮレール８を取付面２ａに取り付けた後、電源装置４、電気部品５、端子台６、ＩＯカード７といった制御盤の内部に収納する機器類を、ＤＩＮレール８を介して取付板２の取付面２ａに固定する（Ｓ１０３）。
【００１５】
Ｓ１０３において各種機器類を取付板２に取り付けた後、及び／又は取り付けながら、これらの機器類間を、ケーブル９を用いて必要に応じて結線する（Ｓ１０４）。なお、Ｓ１０１において取付板２を横向きに配置した後、上記Ｓ１０２乃至Ｓ１０４の各作業は、取付板２を横向きに寝かせた状態のまま、即ち取付面２ａを上向きに配置した状態のまま実施する。そして、ＤＩＮレール８の取付作業、各種機器類の取付作業、機器類間の結線作業が全て終了した後、取付板２を起立させ、起立させた取付板２にカバー１を固定する（Ｓ１０５）。また、カバー１に前扉３を取り付ける（Ｓ１０６）。以上の作業によって、図１に示すような制御盤が完成する。
【００１６】
この発明の実施の形態１によれば、制御盤の製造作業を効率的に行うことができ、その結果、短期間で且つ安価に制御盤を製造することが可能になる。即ち、制御盤の製造に際して、制御盤内に収納する各種機器類やＤＩＮレール８の取付作業、及び機器類間の結線作業を、取付板２を水平な場所に寝かせた状態のまま行うことができる。このため、取付板２の四方から上記作業が実施でき、製造作業を効率的に行うことができるようになる。また、組立作業員の立ち作業が無くなり、無理な作業姿勢をとる必要もなくなる。更に、上記作業時には、取付板２にカバー１が取り付けられていないため、作業空間も十分に確保できる。
【００１７】
図３は図１に示す制御盤とは異なる構成のカバーを有する制御盤を示す図である。即ち、図３に示すカバー１は、上カバー１ａと下カバー１ｂとに分割構成されている。なお、上カバー１ａと下カバー１ｂとは、この状態で取付板２に取り付けることができるものを示している。したがって、かかる構成の制御盤では、その製造時、取付板２への各種機器類の取り付けや結線作業が行われている間に、並行して上カバー１ａ及び下カバー１ｂの組み立て作業を行う。かかる構成によれば、制御盤の製造作業を一部並行して行うことができるようになり、製造時間の短縮を更に図ることが可能となる。
【００１８】
実施の形態２．
図４はこの発明における製造方法によって製造された制御盤の他の構成を示す図である。図４において、１０はＩＯカード１１が収納された制御ユニットであり、取付板２の取付面２ａに直に取り付けられている。即ち、図４は、各種機器類の一部に制御ユニット１０を備えたＣＰＵ盤の構成を示している。なお、図４においては、前扉３の記載は省略されている。
【００１９】
上記構成を有する制御盤においても、実施の形態１と同様の製造方法を採用することにより、制御盤の製造作業を効率的に行うことができるようになり、その結果、短期間で且つ安価に制御盤を製造することが可能となる。なお、かかる場合にも、制御ユニット１０の取付板２への取付作業、及びこの制御ユニット１０に必要な結線作業が、取付板２を横向きに寝かせた状態、即ち取付面２ａを上向きに配置した状態のまま行われる。
【００２０】
実施の形態３．
図５はこの発明における製造方法によって製造された制御盤の他の構成を示す図である。図５に示す制御盤では、取付板２の取付面２ａに、ＤＩＮレール８を介して複数の端子台６が取り付けられている。即ち、図５は、機器類が全て端子台６で構成された、中継端子台盤の構成を示している。なお、図５においても、前扉３の記載は省略されている。
【００２１】
上記構成を有する制御盤においても、実施の形態１と同様の製造方法を採用することにより、制御盤の製造作業を効率的に行うことができるようになり、その結果、短期間で且つ安価に制御盤を製造することが可能となる。なお、かかる場合にも、端子台６全ての取付板２への取付作業、及び必要な結線作業が、取付板２を横向きに寝かせた状態、即ち取付面２ａを上向きに配置した状態のまま行われる。
【００２２】
実施の形態４．
図６はこの発明における製造方法によって製造された制御盤の他の構成を示す図である。図６に示す制御盤は、両面取付型の盤構成を示している。即ち、取付板２には、制御盤の内側面を形成する一側の取付面２ａの反対側に、同様に制御盤の内側面を形成する他側の取付面が設けられている。そして、この他側の取付面にも、取付面２ａと同様に、ＤＩＮレール８や各種機器類が取り付けられている。したがって、この制御盤の外形は、取付板２、この取付板２の取付面２ａ側に設けられたカバー１、取付板２の他側の取付面側に設けられたカバー１２、並びに図示しない前扉３及び後扉によって構成される。
【００２３】
上記構成を有する制御盤の製造に際しては、先ず、実施の形態１における製造手順と同様に、取付板２を、取付面２ａが上方を向くように水平な場所に横向きに配置し、取付面２ａを上向きに配置した状態のまま、この取付面２ａに対してＤＩＮレール８（第１ＤＩＮレール）の取付作業、各種機器類（第１機器類）の取付作業、機器類間の結線作業を行う。
【００２４】
取付面２ａに対する上記作業が終了した後、取付板２を反転させ、この取付板２を、他側の取付面が上方を向くように、水平な場所に横向きに配置する。そして、他側の取付面を上向きに配置した状態のまま、この他側の取付面に対してＤＩＮレール８（第２ＤＩＮレール）の取付作業、各種機器類（第２機器類）の取付作業、機器類間の結線作業を行う。取付面２ａ及び他側の取付面への上記各作業が全て終了した後、取付板２を起立させ、起立させた取付板２の両側にカバー１及び１２を固定する。また、カバー１及び１２に前扉３と後扉とを取り付ける。以上の作業によって、図６に示すような制御盤が完成する。
【００２５】
この発明の実施の形態４によれば、両面取付型の盤構成であっても、制御盤の製造作業を効率的に行うことができ、その結果、短期間で且つ安価に制御盤を製造することが可能になる。即ち、制御盤の製造に際して、制御盤内に収納する各種機器類やＤＩＮレール８の取付作業、及び機器類間の結線作業を、取付板２を水平な場所に寝かせた状態のまま行うことができる。
【００２６】
なお、取付板２を反転させて、機器類の取付作業等が終了した取付面２ａを下方に向ける場合には、予め所定の嵩上げ台等を用意しておき、取付面２ａに固定された機器類等の損傷を防止するように構成しても良い。
【００２７】
なお、実施の形態４は両面型ＩＯ盤の構成についてのみ説明したが、他の構成の制御盤であっても上記と同様の製造方法を採用することにより、同様の効果を奏することができることは言うまでもない。
【図面の簡単な説明】
【００２８】
【図１】この発明の実施の形態１における製造方法によって製造された制御盤の構成を示す図である。
【図２】この発明の実施の形態１における制御盤の製造方法を示すフローチャートである。
【図３】図１に示す制御盤とは異なる構成のカバーを有する制御盤を示す図である。
【図４】この発明における製造方法によって製造された制御盤の他の構成を示す図である。
【図５】この発明における製造方法によって製造された制御盤の他の構成を示す図である。
【図６】この発明における製造方法によって製造された制御盤の他の構成を示す図である。
【図７】従来の制御盤を示す斜視図である。
【符号の説明】
【００２９】
１、１２  カバー
１ａ  上カバー
１ｂ  下カバー
２  取付板
２ａ  取付面
３  前扉
４  電源装置
５  電気部品
６  端子台
７、１１  ＩＯカード
８  ＤＩＮレール
９  ケーブル
１０  制御ユニット
１３  筐体
１４  中板
【図１】
2009148007.tif 000003
【図２】
2009148007.tif 000004
【図３】
2009148007.tif 000005
【図４】
2009148007.tif 000006
【図５】
2009148007.tif 000007
【図６】
2009148007.tif 000008
【図７】
2009148007.tif 000009